(57)【要約】      （修正有）【課題】顔面にしっかり装着した状態で額帯鏡やＬＥＤヘッドライトのような診察器具を適切に使用し得る診察器具併用フェイスシールドを提供する。【解決手段】診察器具併用フェイスシールド３１０は、頭部の周囲に装着されるヘッド装着部材１２と、ヘッド装着部材の前方に配置されるシールド部材１６と、ヘッド装着部材及びシールド部材の少なくとも一方に固定される診察器具固定部材３１８と、を備えている。診察器具固定部材は、シールド部材の前方に位置する診察器具２４を脱着可能なアタッチメントを前頭部に沿って所望の位置に移動、位置決め自在である。【選択図】図１２
0003232631.tif 000002
【実用新案登録請求の範囲】
【請求項１】
頭部の周囲に装着されるヘッド装着部材と、
前記ヘッド装着部材の前方に配置されるシールド部材と、
前記ヘッド装着部材及び前記シールド部材の少なくとも一方に固定される診察器具固定部材と、を備え、
前記診察器具固定部材は、前記シールド部材の前方に位置する診察器具を脱着可能なアタッチメントを前頭部に沿って所望の位置に移動、位置決め自在な、診察器具併用フェイスシールド。
【請求項２】
前記ヘッド装着部材は、頭額部の周囲に装着する略円周状又は略円弧状の頭周部材と、少なくとも２点で前記頭周部材に連結する頭頂部材とで構成され、
前記シールド部材は、両端がそれぞれ前記ヘッド装着部材の両側に枢結され、前記頭周部材の前方で揺動するシールド吊下部材にその上端縁部が固定されて顔面前方を覆う略透明部材であり、
前記診察器具固定部材は、前頭部に沿って延びて前記頭周部材の前方中央と前記頭頂部材の中央とに連結することできる。
【請求項３】
前記シールド部材は、前記ヘッド装着部材の前方にその上端縁部が固定されて顔面前方を覆う略透明体であり、
前記診察器具固定部材は、前頭部に沿って延びて前記ヘッド装着部材の前方中央に連結する請求項１に記載の診察器具併用フェイスシールド。
【請求項４】
前記ヘッド装着部材と、前記シールド吊下部材と、前記診察器具固定部材と、は可撓性を有する帯状部材で構成され、
前記頭周部はその両端を後方で重ねて固定することで頭部の全周にわたって被せる略円周を形成し、
前記頭頂部は２つの帯状部材それぞれの一端を重ね合わせて固定する頭頂連結部材を有し、それぞれの他端を前記頭周部の側部に重ね合わせて固定することで頭頂部の横方向にわたって被せる頭頂部に沿った略半円弧を形成し、
前記シールド吊下部材は、その両端を前記頭周部及び／又は前記頭頂部に重ね合わせて枢結する前記頭周部より大径となる前方に凸の略半円弧を形成し、
前記診察器具固定部材は、その一端が前記頭頂連結部材に連結され、他端が前記頭周部材の前方中央に連結され、前記診察器具固定部材のレール構造は、その長手方向にわたって延びるスリット又は溝部とその両縁部とで形成され、
前記診察器具のアタッチメントは、スライダとなって前記スリット又は溝部に沿って移動し、スリット又は溝部の所望位置で位置決めしてロック／ロック解除機構を有する、請求項２に記載の診察器具併用フェイスシールド。
【請求項５】
前記アタッチメントは、
前記診察器具固定部材のスリットの両縁部を厚み方向に前後から挟んでそれぞれ厚み方向に貫通するネジ穴を有する前方部材と後方部材と、
前記前方部材の前面にヘッドを有して後方にネジ部が延びており、該ネジ部が前記スリットを通過させて前記前方部材及び後方部材を覗く貫通孔を通して締結される調節ネジと、を備え、
前記調節ネジのヘッドを回転させて前記前方部材及び前記後方部材によるスリットの両縁部の挟む力を調節することで、アタッチメントのスリットに沿った移動・ロック／ロック解除を行う、請求項４に記載の診察器具併用フェイスシールド。
【請求項６】
前記診察器具固定部材のスリットの両縁部のそれぞれの内壁には、互いに内側に対向する凹凸部を有し、
前記アタッチメントは、
前記診察器具固定部材のスリットの両縁部を厚み方向に前後から挟んで前記スリットに沿って移動するスライダ部材と、該スライダ部材と前記診察器具固定部材とのロック／ロック解除を行う操作部材と、を備え、
該操作部材は、
前記スライダ部材内から退出して幅方向両外側に拡がると前記スリットの凹凸部と嵌合し、スライダ部材内から侵入して幅方向内側に狭まると前記スリットの凹凸部との嵌合が解除される嵌合部材と、該操作部材を幅方向外側に拡げる弾性力を付与する弾性部とを有し、前記スライダ部材から両外側に突出しており、両外側から内側に狭める操作をすることで前記操作部材の嵌合部材と前記スリットの凹凸部との嵌合を解除し、両外側から内側に狭める操作を解放すると前記弾性部による弾性力で前記操作部材の嵌合部材と前記スリットの凹凸部とを嵌合する、請求項４に記載の診察器具併用フェイスシールド。
【請求項７】
前記アタッチメントは、
前記診察器具固定部材のスリット内をその両縁部に沿って長手方向に移動する移動部材と、
該移動部材と連結し、前記スリットの両縁部を外側から挟んで把持する又は解放する把持部材と、を備え、
前記把持部材は、
第一部材及び第二部材とがそれぞれの中間部で移動部材に枢結されて略Ｘ字形状を形成し、第一部材及び第二部材それぞれの前方端部を互いに拡がる方向に弾性力を付与する弾性部材が配設され、
該弾性部材の弾性力により第一部材及び第二部材それぞれの前方端部を互いに拡がる方向に移動部材の軸周りを回転すると該第一部材及び第二部材それぞれの後方端部を内側に閉じて、前記スリットの両縁部を外側から挟んで前記診察器具固定部材を把持し、前記弾性部材の弾性力に逆らって第一部材及び第二部材それぞれの前方端部を互いに閉じる方向に移動部材の軸周りを回転操作すると該第一部材及び第二部材それぞれの後方端部を内側に閉じて、前記スリットの両縁部の外側から前記診察器具固定部材を挟んだ状態を解除する、請求項４に記載の診察器具併用フェイスシールド。
【請求項８】
前記アタッチメントは、
前記診察器具固定部材のスリットの両縁部に沿って長手方向に移動し、前方外側から内部に侵入及び退出するノック棒と、
該ノック棒の先端に配設されてノック棒が侵入又は退出するとこれに連動して回転しながら侵入又は退出する回転子と、
前記診察器具固定部材の両縁部を挟んで押圧することでアタッチメントを前記診察器具固定部材に位置決めする挟持部材と、
前記回転子が回転しながら侵入すると前記挟持部材に弾性力により押圧し、退出すると復元力で回転子とノック棒とを退出させるバネ部材と、を有する、請求項４に記載の診察器具併用フェイスシールド。
【請求項９】
頭部の周囲に装着されるヘッド装着部材と該ヘッド装着部材の前方に配置されるシールド部材とを有するフェイスシールドに診察器具を取付けるための診察器具固定部材であって、
前記ヘッド装着部材及び前記シールド部材の少なくとも一方に固定され、前記シールド部材の前方に位置する診察器具を脱着可能なアタッチメントを前頭部に沿って所望の位置に移動、位置決め自在なレール構造を有する診察器具固定部材。
【請求項１０】
前記アタッチメント及び前記診察器具固定部材は、請求項１〜８のいずれか１項に記載の診察器具固定部材。
【考案の詳細な説明】
【技術分野】
【０００１】
本考案は、顔面にしっかり装着した状態で額帯鏡やＬＥＤヘッドライトのような診察器具を適切に使用し得る診察器具併用フェイスシールドに関する。
【背景技術】
【０００２】
感染症の拡大等により抗菌・抗ウィルスに対する意識及び社会要請が飛躍的に高まり、日常的にマスクが着用されている現状があるが、とりわけ医療現場において医療従事者は通常の衛生マスクより細菌、ウィルスの捕捉率の高い医療用マスクを着用することが好ましい。しかしながら、Ｎ９５医療用マスクの非常に細菌、ウィルスの捕捉率の高い医療用マスクの場合、連続着用時間に制限があるため、通常の診察や治療、手術の際に医療従事者は、患者からの飛沫防止のための医療用フェイスシールドのみの着用又は一般的な医療用マスクの着用状態で医療用フェイスシールドも着用することが一般化している（特許文献１〜２参照）。
【０００３】
医療用フェイスシールドは概ね、顔面や頭部に装着する固定具と、その固定具に取付けて顔面を覆う透明な樹脂等のシールドとで構成されており、顔面全体をシールドで遮蔽しているため患者からの５０ミクロン以上の飛沫が医療従事者に直接暴露することは防止でき、特に医療用マスクだけでは保護できない目など鼻孔近傍以外の顔面の保護に有利である。
【０００４】
しかしながら、耳鼻咽喉科の医師等のような額帯鏡やＬＥＤヘッドライトを使用する場合、フェイスシールドを着用したままでは額帯鏡等を使用することができない、又は使用時における診察動作に制限がかかるという問題を有していた。
【先行技術文献】
【特許文献】
【０００５】
【特許文献１】実用新案登録第３２２７６０８号公報
【特許文献２】実用新案登録第３２２７６０８号公報
【考案の概要】
【考案が解決しようとする課題】
【０００６】
このような事情に鑑みて本考案は創作されたものであり、顔面にしっかり装着した状態で額帯鏡やＬＥＤヘッドライトのような診察器具を適切に使用し得る診察器具併用フェイスシールドを提供することを目的とする。
【課題を解決するための手段】
【０００７】
上記の課題を解決すべく創作された本考案は、
頭部の周囲に装着されるヘッド装着部材と、
前記ヘッド装着部材の前方に配置されるシールド部材と、
前記ヘッド装着部材及び前記シールド部材の少なくとも一方に固定される診察器具固定部材と、を備え、
前記診察器具固定部材は、前記シールド部材の前方に位置する診察器具を脱着可能なアタッチメントを前頭部に沿って所望の位置に移動、位置決め自在な、診察器具併用フェイスシールドを提供する。
【０００８】
また、本発明は上記診察器具併用フェイスシールドのアタッチメント及び診察器具固定部材を通常のフェイスシールド、すなわち頭部の周囲に装着されるヘッド装着部材と該ヘッド装着部材の前方に配置されるシールド部材とを有するフェイスシールドに診察器具を取付けるための診察器具固定部材としても提供される。したがって具体的に診察器具固定部材は、前記ヘッド装着部材及び前記シールド部材の少なくとも一方に固定され、前記シールド部材の前方に位置する診察器具を脱着可能なアタッチメントを前頭部に沿って所望の位置に移動、位置決めすることができる。
【０００９】
本考案は、額帯鏡やＬＥＤヘッドライトなどの診察器具を装着することができる診察器具併用フェイスシールド及び一般フェイスシールドに適用する診察器具固定部材である。すなわち、本診察器具併用フェイスシールド及び診察器具固定部材では、頭上からヘッド装着部材を被って顔面全面を保護するシールド部材を有するフェイスシールドや同形式の汎用フェイスシールドに適用される診察器具固定部材を提供している。本発明における診察器具固定部材は、診察器具を脱着可能なアタッチメントを備えて頭周囲に固定するヘッド装着部材又はシールド部材に取り付けられるものである。また、アタッチメントは医師等の所謂ユーザの前頭部に沿って診察器具固定部材上を所望の位置まで移動、位置決めができるようになっている。これにより、フェイスシールドを装着した状態で診察器具をアタッチメントに脱着して所望の位置に装着することができる。したがって、本診察器具併用フェイスシールド及び診察器具固定部材によればフェイスシールドを一旦、外したり、手や別途の部材を使用せずとも診察状況に応じてフェイスシールドを装着したまま額帯鏡やＬＥＤヘッドライドなどを顔面前に配設することができ、患者からの飛沫感染を防止及び診察時の手間、動作制限の低減を達成することができる。また、本診察器具固定部材はヘッド装着部材とシールド部材を有する汎用のフェイスシールドにも適用することができ、すでにユーザが所持するフェイスシールドにおいても動作制限させずに飛沫感染防止を強化することができる。
【００１０】
本診察器具併用フェイスシールドは代表的に、
前記ヘッド装着部材は、頭額部の周囲に装着する略円周状又は略円弧状の頭周部材と、少なくとも２点で前記頭周部材に連結する頭頂部材とで構成され、
前記シールド部材は、両端がそれぞれ前記ヘッド装着部材の両側に枢結され、前記頭周部材の前方で揺動するシールド吊下部材にその上端縁部が固定されて顔面前方を覆う略透明部材であり、
前記診察器具固定部材は、前頭部に沿って延びて前記頭周部材の前方中央と前記頭頂部材の中央とに連結するものが考えられる。
【００１１】
また、前記シールド部材は、前記ヘッド装着部材の前方にその上端縁部が固定されて顔面前方を覆う略透明体であり、前記診察器具固定部材は、前頭部に沿って延びて前記ヘッド装着部材の前方中央に連結することもできる。
【００１２】
また、前記ヘッド装着部材と、前記シールド吊下部材と、前記診察器具固定部材と、は可撓性を有する帯状部材で構成され、
前記頭周部はその両端を後方で重ねて固定することで頭部の全周にわたって被せる略円周を形成し、
前記頭頂部は２つの帯状部材それぞれの一端を重ね合わせて固定する頭頂連結部材を有し、それぞれの他端を前記頭周部の側部に重ね合わせて固定することで頭頂部の横方向にわたって被せる頭頂部に沿った略半円弧を形成し、
前記シールド吊下部材は、その両端を前記頭周部又は前記頭頂部に重ね合わせて枢結する前記頭周部より大径となる前方に凸の略半円弧を形成し、
前記診察器具固定部材は、その一端が前記頭頂連結部材に連結され、他端が前記頭周部材の前方中央に連結され、前記診察器具固定部材は、その長手方向にわたって延びるスリット又は溝部が形成され、
前記診察器具のアタッチメントは、スライダとなって前記スリットに沿って移動し、スリット又は溝部の所望位置で位置決めするロック／ロック解除機構を有する。
【００１３】
第一の診察器具併用フェイスシールド例（例えば第一実施形態としての）として
前記アタッチメントは、
前記診察器具固定部材のスリットの両縁部を厚み方向に前後から挟んでそれぞれ厚み方向に貫通するネジ穴を有する前方部材と後方部材と、
前記前方部材の前面にヘッドを有して後方にネジ部が延びており、該ネジ部が前記スリットを通過させて前記前方部材及び後方部材を覗く貫通孔を通して締結される調節ネジと、を備え、
前記調節ネジのヘッドを回転させて前記前方部材及び前記後方部材によるスリットの両縁部の挟む力を調節することで、アタッチメントのスリットに沿った移動並びに、ロック／ロック解除を行う。
【００１４】
第一の診察器具併用フェイスシールド例では、アタッチメントが診察器具固定部材を厚み方向から挟んで挟む力を調整ネジで調節し、ロック／ロック解除することで簡単にスリットに沿った移動、位置決めをすることができる。したがって、医療従事者など使用者は、シールド部材を降ろした状態で診察器具をアタッチメントに連結し、前方から調整ネジのヘッドを回すだけで診察器具を脱着・位置決め可能である。
【００１５】
第二の診察器具併用フェイスシールド例として
前記診察器具固定部材のスリットの両縁部のそれぞれの内壁には、互いに内側に対向する凹凸部を有し、
前記アタッチメントは、
前記診察器具固定部材のスリットの両縁部を厚み方向に前後から挟んで前記スリットに沿って移動するスライダ部材と、該スライダ部材と前記診察器具固定部材とのロック／ロック解除を行う操作部材と、を備え、
該操作部材は、
前記スライダ部材内から退出して幅方向外側に拡がると前記スリットの凹凸部と嵌合し、スライダ部材内から侵入して幅方向内側に狭まると前記スリットの凹凸部との嵌合が解除される嵌合部材と、該操作部材を幅方向外側に拡げる弾性力を付与する弾性部とを有し、前記スライダ部材から両外側に突出しており、両外側から内側に狭める操作をすることで前記操作部材の嵌合部材と前記スリットの凹凸部との嵌合を解除し、両外側から内側に狭める操作を解放すると前記弾性部による弾性力で前記操作部材の嵌合部材と前記スリットの凹凸部とを嵌合する、請求項２に記載の診察器具併用フェイスシールドを提供する。
【００１６】
第二の診察器具併用フェイスシールド例では、診察器具固定部材のスリットの内壁に沿ってネジ溝となる凹凸部を設け、アタッチメントの本体としてのスライダ部材から両側に突出し、つまんで内側にスライドさせる操作部材を設けている。この操作部材は通常時には弾性力によりスライダ部材の内部で上記スリット内壁の凹凸部に嵌合する嵌合部材を有しており、アタッチメントを所望位置に位置決めしている。一方、操作部材をつまんでスライドさせると弾性力に逆らってスライダ部材内の嵌合部材がスリット内壁の凹凸部から離間し、診察器具固定部材上でアタッチメントを移動させることが可能となる。
【００１７】
第三の診察器具併用フェイスシールド例（明細書における第四の実施形態で例示）のとして
前記アタッチメントは、
前記診察器具固定部材のスリット内をその両縁部に沿って長手方向に移動する移動部材と、
該移動部材と連結し、前記スリットの両縁部を外側から挟んで把持する又は解放する把持部材と、を備え、
前記把持部材は、
第一部材及び第二部材とがそれぞれの中間部で移動部材に枢結されて略Ｘ字形状を形成し、第一部材及び第二部材それぞれの前方端部を互いに拡がる方向に弾性力を付与する弾性部材が配設され、
該弾性部材の弾性力により第一部材及び第二部材それぞれの前方端部（ユーザ視点で前方側の端部）を互いに開放する方向に移動部材の軸周りを回転すると該第一部材及び第二部材それぞれの後方端部を内側に閉じて、前記スリットの両縁部を前記診察器具固定部材を外側から挟んで把持し、前記弾性部材の弾性力に逆らって第一部材及び第二部材それぞれの前方端部を互いに閉じる方向に移動部材の軸周りを回転操作すると該第一部材及び第二部材それぞれの後方端部が内側に閉じて、前記スリットの両縁部の外側から前記診察器具固定部材を挟んだ状態を解除する。
【００１８】
第三の診察器具併用フェイスシールド例（明細書における第四の実施形態で例示）のでは、略Ｘ字状を形成するアタッチメントを中間部で枢結し、洗濯ばさみのようにつまめるようにしている。この把持部材は互いに中間部で移動部材に枢結回転自在な第一部材及び第二部材で形成され、通常時には弾性部材の弾性力によりそれぞれの前方端部（上端部）が拡げられ、後方端部（下端部）が閉じられて診察器具固定部材の両側を挟んで把持して、通常時にアタッチメントを診察器具固定部材の所望位置に位置決めしている。一方、弾性力に逆らって把持部材の第一部材及び第二部材それぞれの前方端部（上端部）をつまんで閉じると、後方端部（下端部）が診察器具固定部材の両側から離間して把持状態が解除されることでアタッチメントを診察器具固定部材上で移動させることができる。
【００１９】
第四の診察器具併用フェイスシールド例（明細書における第三の実施形態で例示）として
前記アタッチメントは、
前記診察器具固定部材のスリットの両縁部に沿って長手方向に移動し、前方外側から内部に侵入及び退出するノック棒と、
該ノック棒の先端に配設されてノック棒が侵入又は退出するとこれに連動して回転しながら侵入又は退出する回転子と、
前記診察器具固定部材の両縁部を挟んで押圧することでアタッチメントを前記診察器具固定部材に位置決めする挟持部材と、
前記回転子が回転しながら侵入すると前記挟持部材に弾性力により押圧し、退出すると復元力で回転子とノック棒とを退出させるバネ部材と、を有する。
【００２０】
第四の診察器具併用フェイスシールド例（明細書における第三の実施形態で例示）では、アタッチメントの診察器具固定部材への位置決めに所謂ノック構造により診察器具固定部材を挟んで固定する方法を用いている。この構造の場合、ユーザが前方からノック棒を押すだけで診察器具を連結するアタッチメントを診察器具固定部材の所望位置に位置決めすることができる。
【００２１】
なお、上述してきたアタッチメント及び診察器具固定部材は、それぞれ頭部の周囲に装着されるヘッド装着部材と該ヘッド装着部材の前方に配置されるシールド部材とを有するタイプのフェイスシールドに診察器具を取付けるための診察器具固定部材としても適用可能である。
【考案の効果】
【００２２】
本考案の診察器具併用フェイスシールドでは、顔面にしっかり装着した状態で額帯鏡やＬＥＤヘッドライトのような診察器具を所望の位置まで移動させ、容易にロック（位置決め）／ロック解除することができ、診察器具を脱着しながらかぶることができる。
【図面の簡単な説明】
【００２３】
【図１】本考案の第一の実施形態としての診察器具併用フェイスシールドの左上側方から見た斜視図である。
【図２】図１の診察器具併用フェイスシールドの正面図である。
【図３】図１の診察器具併用フェイスシールドの背面図である。
【図４】図１の診察器具併用フェイスシールドの左側方断面図である。
【図５】（ａ）は、図１の診察器具併用フェイスシールドの診察器具固定部材及びアタッチメントの取付状態を前方から見た写真図であり、（ｂ）は（ａ）を右側から見た写真図である。
【図６】本考案の第二の実施形態としての診察器具併用フェイスシールドの左上側方から見た斜視図である。
【図７】図６の診察器具併用フェイスシールドの正面図である。
【図８】図６の診察器具併用フェイスシールドの背面図である。
【図９】（ａ）は診察器具固定部材にアタッチメントが装着されロックされた様子を示す前方左側から見た斜視図であり、（ｂ）は（ａ）をラインＡ−Ａに沿って幅方向に切った診察器具固定部材及びアタッチメントの断面斜視図であり、（ｃ）は（ｂ）をラインＢ−Ｂに沿って長手方向に切った診察器具固定部材及びアタッチメントの断面斜視図である。
【図１０】（ａ）は図９（ａ）をラインＡ−Ａに沿って幅方向に切った診察器具固定部材及びアタッチメントの断面図であり、（ｂ）は図９（ａ）の矢印Ｃ方向から見た幅方向に切った診察器具固定部材及びアタッチメントの断面図である。
【図１１】（ａ）は図９（ａ）をラインＥ−Ｅに沿って上下方向に切った診察器具固定部材及びアタッチメントの断面図であり、（ｂ）は図９（ａ）を下方から見た診察器具固定部材及びアタッチメントの底面図である。
【図１２】本考案の第三の実施形態としての診察器具併用フェイスシールドの左上側方から見た斜視図である。
【図１３】図１２の診察器具併用フェイスシールドの正面図である。
【図１４】図１２の診察器具併用フェイスシールドの背面図である。
【図１５】（ａ）は図１２の診察器具併用フェイスシールドの診察器具固定部材に対してアタッチメントが装着されロックされた様子を示す前方右下側から見た斜視図であり、（ｂ）は（ａ）のラインＡ−Ａに沿っての長手方向に切った診察器具固定部材及びアタッチメントの断面斜視図である。
【図１６】（ａ）は図１５（ａ）の矢印Ｂ方向から見た図であり、（ｂ）は図１５（ａ）のラインＤ−Ｄに沿って長手方向に切った診察器具固定部材及びアタッチメントの断面図である。
【図１７】（ａ）は図１６（ａ）の矢印Ｅ方向に見た診察器具固定部材３１８及びアタッチメント３２０の図であり、（ｂ）は図１５（ｂ）をラインＡ−Ａに沿って長手方向に切った診察器具固定部材及びアタッチメントの断面図を示している。
【図１８】本考案の第四の実施形態としての診察器具併用フェイスシールドの左上側方から見た斜視図である。
【図１９】診察器具固定部材にアタッチメントが取り付けられている様子が示されており、具体的には（ａ）は前方右側から見た写真図、（ｂ）は左側から見た写真図が示されている。
【考案を実施するための形態】
【００２４】
以下、本考案の診察器具併用フェイスシールドの実施形態について例示説明する。なお、本明細書及び図面において、同一の参照番号を付する部材は同一の実施形態における同一部材を意味し、末尾２桁に同一の参照番号を付する部材は、異なる実施形態における同種部材を意味している。
【００２５】
《第一の実施形態について》
まず、本考案の第一の実施形態としての診察器具併用フェイスシールド１０について図１〜図５を参照して説明する。図１は、診察器具併用フェイスシールド１０の左上側方から見た斜視図、図２は診察器具併用フェイスシールド１０の正面図、図３は診察器具併用フェイスシールド１０の背面図、図４は診察器具併用フェイスシールド１０の左側方断面図、図５（ａ）は診察器具併用フェイスシールド１０の診察器具固定部材１８及びアタッチメント２０の取付け状態を前方から見た写真図であり、（ｂ）は（ａ）を右側から見た写真図を示している。
【００２６】
診察器具併用フェイスシールド１０は、一般的なフェイスシールドと同様の構成に診察器具固定部材１８と診察器具固定部材１８に脱着可能に取付けられるアタッチメント２０とが追加されている。具体的には一般的なフェイスシールドと同様の構成として診察器具併用フェイスシールド１０は概ね、医療従事者など使用者の頭部に被せるヘッド装着部材１２と、ヘッド装着部材１２の前方に装着するシールド吊下部材１４と、シールド吊下部材１４から吊り下げられる透明のシールド部材１６とを有している。なお、図１に示すように診察器具２４、２４´は、シールと吊下部材１４を跨いで後方のアタッチメント２０に連結する連結部材が設けられている図の例では２つの関節部材で形成されている（本明細書では関節部材まで含めて診察器具２４、２４´として説明する）。
【００２７】
ヘッド装着部材１２は、医療従事者など使用者の額周り（頭周囲）に巻き付けて装着する略円周状又は略円弧状の頭周部１２ａと、医療従事者など使用者の左又は右の耳の上部の位置から頭頂部に至って右又は左の耳の上部の位置に到達する頭頂部１２ｂとを有している。ヘッド装着部材１２の頭周部１２ａ及び頭頂部１２ｂは共に樹脂製等の可撓性を有する帯状部材で構成され、頭周部１２ａは、略円周を形成してその両端を後方（後頭部側）で重ねて固定しており（重ね合わせ部１２ｃ参照）、頭頂部１２ｂは、２つの帯状部材の端部を頭頂部で重ねて上方に凸となる略半円弧を形成しており、２つの帯状部材で形成された略半円弧の端部を頭周部１２ａの耳上位置近傍で重ねて連結している。
【００２８】
実際には、頭頂部１２ｂの２つの帯状部材の端部を頭頂部で重ねて連結固定するために頭頂連結部材２２を用いており、具体的には図３に示すようにコの字状の頭頂連結部材２２で前方から重ねた帯状部材の端部を挟み込んで後方の連結部２２ａで厚み方向（上下方向）にネジ締結している。なお、頭頂連結部材２２は後述する診察器具固定部材１８の上端も同時に固定している。
【００２９】
シールド吊下部材１４は、ヘッド装着部材１２の前方で上下に揺動するヘッド装着部材１２の頭周部１２ａより大径に湾曲する帯状部材であり、その両端をヘッド装着部材１２の頭周部１２ａの耳上方の位置近傍で重ねて枢結している（枢結点１４ａ参照）。また、シールド吊下部材１４は、透明の樹脂製薄板のシールド部材１６の上縁部と連結し、視認可能に顔面前方全体を覆うことができるようにシールド部材１６を吊り下げている。したがって、ヘッド装着部材１２を頭部に被せたまま診察時にはシールド部材１６を降ろして患者からの飛沫暴露を遮断し、非診察時にはシールド吊下部材１４を頭頂部１２ｂ近傍まで揺動させることで顔面前のシールド部材１６を上げることができる。
【００３０】
また、診察器具固定部材１８は、その両端が頭周部１２ａの前方中央と頭頂部１２ｂの中央前頭部とに連結されて前頭部に沿って延びており、その上端１８ｃを頭頂部１２ｂの端部を挟んで連結固定する頭頂部連結部２２の前方先端に設けられた引掛部２２ｂに引っ掛けて連結し（図４参照）、その下端１８ｄとブラケット２６とで頭周部１２ｂの前方中央を前後（表裏）から挟んでネジ等で固着することで頭周部１２ａに連結している。
【００３１】
なお、本明細書及び図面に示す診察器具固定部材１８（後述する診察器具固定部材１１８，２１８，３１８も同様（以下、「診察器具固定部材１８等」とも称する））は、シールド吊下部材１４がヘッド装着部材１２の前方で揺動するタイプの診察器具併用フェイスシールド１０（後述する診察器具併用フェイスシールド１１０，２１０，３１０も同様（以下、「診察器具併用フェイスシールド１０等」とも称する））であるためヘッド装着部材１２（後述するヘッド装着部材１１２，２１２，３１２も同様（以下、「ヘッド装着部材１２等」とも称する））に装着されているが、（１）シールド吊下部材１４が揺動しない場合等や、別途、（２）シールド吊下部材１４がなくシールド１６の上端縁部をヘッド装着部材１２の前方に直接固定することで吊り下げられてシールド部材１６を形成する場合も考えられる。特に（２）の場合、ヘッド装着部材１２等より前方に距離を空けてシールド吊下部材１４が存在し、これより前方に診察器具２４、２４´が配置されると診察部位への対する位置決めの観点から診察し難いと考える医師に所望されるものである。
【００３２】
（２）の場合、診察器具２４、２４´に前方への距離を確保する必要がないため関節部材を設けず、アタッチメント２０（（後述するアタッチメント１２０，２２０，３３０も同様（以下、「アタッチメント２０等」とも称する））に直接連結する構成が採用されることもある。このときＬＥＤや額帯鏡が直接医師の目の前に位置する必要があり、診察器具固定部材１８等の下端がヘッド装着部材２０等より下方まで延ばし、アタッチメント２０等を医師の眼球前に位置決めできる構成を採用することもある。
【００３３】
さらに、本明細書及び図面に示すヘッド装着部材１２等は頭頂部材１２ａと頭周部材１２ｂとで構成されているが、いずれか一方が存在すれば良く、診察器具固定部材１８が頭部前後にわたって配置され、頭周部材１２ｂで固定する場合等もあり得る。
【００３４】
また、診察器具固定部材１８は、その長手方向（前頭部に沿った方向）にわたって延びるスリット１８ａとその幅方向両側で延びる縁部１８ｂとで構成されており、スリット１８ａ及び縁部１８ｂに沿って移動・位置決めされるアタッチメント２０が設けられる。なお、アタッチメント２０は、シールド部材１６の前方に位置する診察器具の端部が装着される。
【００３５】
アタッチメント２０は、前方部材２０ａと後方部材２０ｂと調整ネジ２８とで構成され、診察器具固定部材１８のスリット１８ａの両縁部１８ｂを厚み方向に前方から前方部材２０ａ、後方から後方部材２０ｂで挟み、前方部材２０ａ及び後方部材２０ｂを覗く貫通穴２０ｃに調整ネジ２８の脚部２８ｂが通される（図４〜図５参照）。そして、調整ネジ２８のヘッド２８ａを図５（ａ）の矢印Ａのように回転させることで前方部材２０ａと後方部材２０ｂとで両縁部１８ｂを厚み方向に挟持する力を調整して、アタッチメント２０と診察器具固定部材１８とのロック／ロック解除を行う。ここでは調整ネジ２８の脚部２８ｂの先端に設けたネジ溝を後方部材２０ｂ側に配設したナット２８ｃにネジ締結する構成が示されているが、調整ネジ２８の脚部２８ｂ及び貫通孔２０ｃの全体にわたって互いに締結可能なネジ山／ネジ溝を形成することも考えられる。
【００３６】
《第二の実施形態について》
次に、本考案の第二の実施形態としての診察器具併用フェイスシールド１１０について図６〜図１１を参照して説明する。図６は、診察器具併用フェイスシールド１１０の左上側方から見た斜視図、図７は診察器具併用フェイスシールド１１０の正面図、図８は診察器具併用フェイスシールド１１０の背面図を示している。また、図９（ａ）は診察器具固定部材１１８にアタッチメント１２０が装着されロックされた様子を示す前方左側から見た斜視図であり、（ｂ）は（ａ）をラインＡ−Ａに沿って幅方向に切った診察器具固定部材１１８及びアタッチメント１２０の断面斜視図であり、（ｃ）は（ｂ）をさらにラインＢ−Ｂに沿って長手方向に切った診察器具固定部材１１８及びアタッチメント１２０の断面斜視図を示している。また、図１０（ａ）は図９（ａ）をラインＡ−Ａに沿って幅方向に切った診察器具固定部材１１８及びアタッチメント１２０の断面図であり、（ｂ）は図９（ｂ）の矢印Ｃ方向から見た診察器具固定部材１１８及びアタッチメント１２０の断面図を示している。さらに図１１（ａ）は図９（ａ）のラインＥ−Ｅに沿って上下方向に切った診察器具固定部材１１８及びアタッチメント１２０の断面図であり、（ｂ）は図９（ａ）を下方から見た診察器具固定部材１１８及びアタッチメント１２０の底面図を示している。
【００３７】
診察器具併用フェイスシールド１１０は、上述した診察器具併用フェイスシールド１０と同様に一般的なフェイスシールドと同様の構成に診察器具固定部材１１８と診察器具固定部材１１８に脱着可能に取付けられるアタッチメント１２０とが追加されている。したがって、ここでは一般的なフェイスシールドと同様の構成であるヘッド装着部材１２とシールド吊下部材１４とシールド部材１６等の説明は省略し、診察器具固定部材１１８、アタッチメント１２０について以下説明する。
【００３８】
診察器具固定部材１１８には上述した診察器具固定部材１８と同様に長手方向にわたって延びるスリット１１８ａとその幅方向両側に縁部１１８ｂとが設けられているが、それぞれの縁部１１８ｂの内壁側には互いに内側に対向する凹凸部１１８ｅを有している。この縁部１１８ｂの凹凸部１１８ｅは同ピッチの山谷の連続で形成されている。なお、スリット１１８ａは後述するアタッチメント１２０の幅に合わせて図１〜図５の診察器具併用フェイスシールド１０よりも幅広であり、両縁部１１８ｂは外側より凹凸部１１８ｅを形成する内側が一段下がっており、アタッチメント１２０を滑動させるレール１１８ｆを形成している。
【００３９】
アタッチメント１２０は、診察器具固定部材１１８の両縁部１１８ｂ上のレール１１８ｆを厚み方向に前後から挟んでスリット１１８ａに沿って移動するスライダ部材１２０ｄと、スライダ部材１２０ｄと診察器具固定部材１１８とのロック／ロック解除を行うロック解除手段を備えている。このロック解除手段は、診察器具固定部材１１８の両縁部１１８ｂより幅方向に突出し、それぞれ互いに幅方向内側／外側に接近・離間する２つの部材で構成される一対の操作部材１２０ｅと、操作部材１２０ｅが互いに接近・離間すると縁部１１８ｂ側に離間・接近して縁部１１８ｂの内壁の凹凸部１１８ｅと噛み合う嵌合部材１２０ｆを設けている。
【００４０】
さらに具体的には、操作部材１２０ｅは、診察器具固定部材１１８の縁部１１８ｂより外側に突出してユーザが幅方向に挟む押圧用のつまみ１２０ｎを設けている。また、操作部材１２０ｅは、嵌合部材１２０ｆと一体に形成されており、スライダ部材１２０ｄの内部に設けた幅方向に延びる受容空間１２０ｐに侵入・退出方向に移動する。ユーザが手指でつまみ１２０ｎを両側から挟むと操作部材１２０ｅはレール１１８ｆの上面（図１０では紙面下面）を幅方向内側に滑動し、嵌合部材１２０ｆが受容空間１２０ｐに侵入する。このとき嵌合部材１２０ｆは、受容空間１２０ｐ内に配設されたバネ（弾性部材）１２０ｇを縮めて反力が作用する。操作部材１２０ｅが互いに内側に接近すると、診察器具固定部材１１８の凹凸部１１８ｅと噛み合っていた嵌合部材１２０ｆも内側に移動して凹凸部１１８ｅとの噛み合いが解除され、スライダ部材１２０ｄはレール１１８ｆ上を所望の位置まで滑動可能となる。
【００４１】
また、ユーザが手指で挟んでいたつまみ１２０ｎを放すと操作部材１２０ｅはレール１１８ｆの上面を幅方向外側に滑動し、嵌合部材１２０ｆが受容空間１２０ｐから退出して互いに離間する。このとき嵌合部材１２０ｆは、受容空間１２０ｐ内のバネ（弾性部材）１２０ｇの復元力が外側に作用する。操作部材１２０ｅが互いに外側に離間すると、嵌合部材１２０ｆも外側に移動して診察器具固定部材１１８の凹凸部１１８ｅと噛み合って（ロックされて）、スライダ部材１２０ｄはレール１１８ｆ上の所望の位置に位置決めされる。
【００４２】
また、アタッチメント１２０のスライダ部材１２０ｄは診察器具２４等をアタッチメント１２０に取り付けるための連結部１２０ｑが設けられている。図６〜図１１の例では連結部１２０ｑは、診察器具２４等側（図９の上側）が大径、頭部側が小径となる貫通孔が設けられており、図６や図８に示すような診察器具２４等の連結部と連結して大径側の座グリに挿入されて小径側から突出する雄ネジとこれと頭部側でネジ連結する雌ネジとで構成されている。
【００４３】
換言すれば、操作部材１２０ｅを幅方向外側から医療従事者など使用者がつまんで内側に互いに接近させると診察器具２４等が取り付けられた状態でアタッチメント１２０が診察器具固定部材１１８から離間し、ロックが解除され、アタッチメント１２０が診察器具固定部材１１８の縁部１１８ａのレール１１８ｆ上を所望位置まで移動することができる。一方、医療従事者など使用者が操作部材１２０ｅをつまむことをやめると嵌合部材１２０ｆが縁部１１８ｄの凹凸部１１８ｅと嵌合し位置決めされることで診察器具２４等及びアタッチメント１２０が診察器具固定部材１１８の所望の位置で固定される。
フェイスシールド
【００４４】
《第三の実施形態について》
次に本考案の第三の実施形態としての診察器具併用フェイスシールド３１０について図１２〜図１７を参照して説明する。図１２は、診察器具併用フェイスシールド３１０の左上側方から見た斜視図、図１３は診察器具併用フェイスシールド３１０の正面図、図１４は診察器具併用フェイスシールド３１０の背面図、図１５（ａ）は診察器具併用フェイスシールド３１０の診察器具固定部材３１８に対してアタッチメント３２０が装着されロックされた様子を示す前方右下側から見た斜視図であり、（ｂ）は図１５（ａ）のラインＡ−Ａに沿って長手方向に切った診察器具固定部材３１８及びアタッチメント３２０の断面図である。また、図１６（ａ）は図１５（ａ）の矢印Ｂ方向から見た図であり、（ｂ）は図１５（ａ）のラインＤ−Ｄに沿って長手方向に切った診察器具固定部材３１８及びアタッチメント３２０の断面図である。図１７（ａ）は図１６（ａ）の矢印Ｅ方向に見た診察器具固定部材３１８及びアタッチメント３２０の図であり、（ｂ）は図１５（ｂ）をラインＡ−Ａに沿って長手方向に切った診察器具固定部材３１８及びアタッチメント３２０の断面図を示している。
【００４５】
診察器具併用フェイスシールド３１０は、上述した診察器具併用フェイスシールド１０，１１０と同様に一般的なフェイスシールドと同様の構成であるヘッド装着部材１２とシールド吊下部材１４とシールド部材１６等の説明は省略し、診察器具固定部材３１８、アタッチメント３２０について以下説明する。
【００４６】
図１５〜図１７に示すように診察器具固定部材３１８には上述した診察器具固定部材１８，１１８と同様に長手方向にわたって延びる溝部３１８ａとその幅方向両側に縁部３１８ｂとが設けられているが、溝部３１８ａは厚み方向に貫通しておらず、両縁部３１８ｂより一段下がってアタッチメント３２０の移動部材３２０ｋを滑動させるレール３１８ｆを形成している。
【００４７】
具体的に診察器具固定部材３１８の溝部３１８ａは、特に図１６（ｂ）に示すように両縁部３１８ｂの間で外周側に狭い幅の隙間を有し、内周側に幅が拡がる形状を有している。この溝部３１８ａと両縁部３１８ｂとでレール３１８ｆが形成される。また、アタッチメント３２０の移動部材３２０ｋは、図１６（ｂ）に示すように下部がＩ型形状となっており、両縁部３１８ｂの狭い幅を厚み方向に挟んで溝部３１８ａに挿入されるためレール３１８ｆに対して厚み方向及び幅方向に移動が規制され、レール３１８ｆの長手方向に沿って滑動可能となる。
【００４８】
したがって、アタッチメント３２０は、溝部３１８ａ及び縁部３１８ｂで形成されるレール３１８ｆをガイドとして移動部材３２０ｋがレール３１８ｆの所望位置まで移動することができる。また、アタッチメント３２０は、診察器具固定部材３１８の両縁部３１８ｂを外側から挟んで把持する又は解放する把持部材としての第一部材３２０ｈ、第二部材３２０ｉを有している。さらに具体的には把持部材３２０ｈ、３２０ｊは、互いに移動部材３２０ｋの軸周りに回転するように枢結されて、略Ｘ字状を形成する。第一部材３２０ｈは、診察器具固定部材３１８に対して幅方向一方側（図１６の紙面左側））、第二部材３２０ｉは、診察器具固定部材３１８に対して幅方向他方側（図１６の紙面右側））に設けられる。
【００４９】
特に図１６（ｂ）に示すように第一部材３２０ｈと第二部材３２０ｉは、上部３２０ｈ１、３２０ｉ１が上方に向かって互いが開放され、その中間部３２０ｈ２、３２０ｉ２において軸穴３２０周りに枢結されている。なお、上部３２０ｈ１、３２０ｉ１は上端外側にユーザがつまみやすいように凹凸面を設けている。また、第一部材３２０ｈの中間部３２０ｈ２は、内壁に円筒部の当接回転を受容するよう略円弧状の凹面を設けており、この凹面に外壁が当接して回転できるよう第二部材３２０ｉの中間部３２０ｉ２は略円筒形状を有している。そして、この中間部３２０ｈ２に設けられた軸穴３２０lは、移動部材３２０ｋにも開けられた軸穴（符号不付）に対して長手方向に貫通し、ボルト及びナットで形成する軸芯部材３２０ｒを通している。さらに、第一部材３２０ｈ及び第二部材３２０ｉの上部３２０ｈ１、３２０ｉ１の中には軸芯部材３２０ｒ周りに巻き付けられるバネ部材３２０ｊの両端がそれぞれ埋入結合されており、これにより第一部材３２０ｈと第二部材３２０ｉの上部３２０ｈ１、３２０ｉ１は、ユーザの手指でバネ部材３２０ｒの弾性力に抗して両側からつまむと互いに接近する方向に回転し、手指を離すとバネ部材３２０ｒの復元力で開放される。
【００５０】
また、第一部材３２０ｈ及び第二部材３２０ｉの下部３２０ｈ３、３２０ｉ３は、それぞれ中間部３２０ｈ２、３２０ｉ２から下方に向かって裾拡がり状に外側に拡がっている。また、下部３２０ｈ３、３２０ｉ３の下端は、それぞれ内側に向かって突出している。さらに診察器具固定部材３１８の外側側部には所定ピッチで山谷が連続する凹凸部３１８ｈが設けられ、該凹凸部３１８ｈは、内側に突出する第一部材３２０ｈ及び第二部材３２０ｉの下部３２０ｈ３、３２０ｉ３の下端に噛み合うように形成されている。したがって、通常時にはバネ部材３２０ｒの弾性力により下部３２０ｈ３、３２０ｉ３の下端が凹凸部３１８ｈに噛み合ってアタッチメント３２０を診察器具固定部材３１８にロックされており、第一部材３２０ｈ及び第二部材３２０ｉの上部３２０ｈ１、３２０ｉ１をユーザの手指でバネ部材３２０ｒの弾性力に抗して両側からつまむと下部３２０ｈ３、３２０ｉ３が互いに離間し、凹凸部３１８ｈとの噛み合いも解除され、アタッチメント３２０と診察器具固定部材３１８とのロックが解除される。そして、ユーザが診察器具固定部材３１８に沿ってアタッチメント３２０を滑動させ、所望の位置で再び手指のつまみを離すことで再びロックされる。したがって、診察器具固定部材３１８の所望の位置でアタッチメント３２０を位置決めすることができる。
【００５１】
《第四の実施形態について》
さらに、本考案の第四の実施形態としての診察器具併用フェイスシールド２１０について図１８〜図１９を参照して概説する。診察器具併用フェイスシールド２１０については、上述してきた診察器具併用フェイスシールド１０，１１０，３１０と同様に一般的なフェイスシールドと同様の構成であるヘッド装着部材１２とシールド吊下部材１４とシールド部材１６等を設けており、図１８の診察器具併用フェイスシールド２１０と図１９の診察器具固定部材２１８及びアタッチメント２２０を参照して以下概説する。
【００５２】
図１８は、診察器具併用フェイスシールド２１０の左上側方から見た斜視図を示されており、図１９は、診察器具固定部材２１８にアタッチメント２２０が取り付けられている様子が示されており、具体的には（ａ）は前方右側から見た写真図、（ｂ）は左側から見た写真図が示されている。
【００５３】
診察器具固定部材２１８は、薄板の帯状部材の中心長手方向にスリット２１８ａ、その両側に縁部２１８ｂが並列しており、アタッチメント２２０内の円盤状の挟持部材２２０ｖで両縁部２２０ｂを厚み方向に挟むことでアタッチメント２２０を診察器具固定部材２１８に位置決めする。挟持部材２２０ｖによる診察器具固定部材２１８の位置決めは、所謂ノック構造でなされ、アタッチメント２２０に前方側外部から挟持部材２２０ｖまで貫通しており、ノック棒２２０ｓを（図１９（ｂ）の矢印Ａ方向下向き）に進入させることで回転子２２０ｔを侵入方向に回転させてバネ部材２２０ｕを押圧して挟持部材２２０ｖで診察器具固定部材２１８を挟んでロックする、又はノック棒２２０ｓを（図１９（ｂ）の矢印Ａ方向上向きに）退出させることで回転子２２０ｔを退出方向に回転させてバネ部材２２０ｕの復元力で挟持部材２２０ｖによる診察器具固定部材２１８のロックを解除する。アタッチメント２２０を診察器具固定部材２１８上で滑動させて、このノック構造によりロック／ロック解除することでアタッチメント２２０を所望の位置に固定する。さらに、アタッチメント２２０には、診察器具２４等と連結する連結部２２０ｇが設けられている。
【００５４】
なお、本考案の実施形態についての説明でも言及してきたが、第一の実施形態〜第四の実施形態ともにアタッチメント２０、１２０，２２０，３２０には、診察器具（ＬＥＤライト２４、額帯鏡２４´）の根元にアタッチメント２０、１２０，２２０，３２０との連結部を設けており、例えば磁力により連結する場合や互いに適用するネジ構造を有する場合等が考えられる。
【００５５】
また、本考案は、上記診察器具併用フェイスシールドのみならず、汎用のフェイスシールドに適用する上記診察器具固定部材１８等及びアタッチメント２０等の構成も含まれる。また、診察器具固定部材１８等は、アタッチメント２０等を脱着自在に位置決めできれば良く、スリット１８ａ、１１８ａ、２１８ａ、３１８ａや溝を凹凸部３１８ｈのようなレール構造を有さない場合も考えられる。なお、図面において額帯鏡２４´は便宜上、正中位置に示されているが、実際の額帯鏡２４´の使用の際には、医師の左右一方の眼球の前方（通常は所謂効き目の前方が選択される）に位置決めされるものであり、額帯鏡２４´と正中位置にあるアタッチメント２０等とを連結する部材により左右方向の所望位置に額帯鏡２４´をオフセットして配設することを付言しておく。
【００５６】
以上、本考案の診察器具併用フェイスシールドについてその実施形態を例示説明してきたが、本考案はこれに限定されるものではなく、実用新案登録請求の範囲および明細書等の記載の精神や教示を逸脱しない範囲で他の変形例や改良例が得られることが当業者は理解できるであろう。
【符号の説明】
【００５７】
１０，１１０，２１０，３１０  診察器具併用フェイスシールド
１２  ヘッド装着部材
１２ａ  頭周部
１２ｂ  頭頂部
１２ｃ  重ね合わせ部
１４  シールド吊下部材
１４ａ  枢結点
１６  シールド部材
１８，１１８，２１８，３１８  診察器具固定部材
１８ａ，１１８ａ，２１８ａ，３１８ａ  スリット
１８ｂ，１１８ｂ，２１８ｂ，３１８ｂ  縁部
１８ｃ  上端
１８ｄ  下端
１１８ｅ  凹凸部
１１８ｆ，３１８ｆ  レール
３１８ｈ  凹凸部
２０，１２０，２２０，３２０  アタッチメント
２０ａ  前方部材
２０ｂ  後方部材
２０ｃ  貫通穴
１２０ｄ  スライダ部材
１２０ｅ  操作部材
１２０ｆ  嵌合部材
１２０ｇ  弾性部材（バネ）
３２０ｈ  第一部材（把持部材）
３２０ｊ  第二部材（把持部材）
３２０ｉ  弾性部材（バネ部材）
３２０ｋ  移動部材
３２０ｌ  軸穴
１２０ｍ  凹部
１２０ｎ  つまみ
１２０ｐ  受容空間
１２０ｑ、２２０ｑ  連結部
３２０ｒ  軸芯部材
２２０ｓ  ノック棒
２２０ｔ  回転子
２２０ｕ  バネ部材
２２０ｖ  挟持部材
２２  頭頂連結部材
２２ａ  締結部
２２ｂ  引掛部
２４，２４´  診察器具
２６  ブラケット  
２８  調整ネジ
２８ａ  ヘッド
２８ｂ  脚部
２８ｃ  ナット
２８ｄ  溝部
【図１】
0003232631.tif 000003
【図２】
0003232631.tif 000004
【図３】
0003232631.tif 000005
【図４】
0003232631.tif 000006
【図５】
0003232631.tif 000007
【図６】
0003232631.tif 000008
【図７】
0003232631.tif 000009
【図８】
0003232631.tif 000010
【図９】
0003232631.tif 000011
【図１０】
0003232631.tif 000012
【図１１】
0003232631.tif 000013
【図１２】
0003232631.tif 000014
【図１３】
0003232631.tif 000015
【図１４】
0003232631.tif 000016
【図１５】
0003232631.tif 000017
【図１６】
0003232631.tif 000018
【図１７】
0003232631.tif 000019
【図１８】
0003232631.tif 000020
【図１９】
0003232631.tif 000021
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
頭部の周囲に装着されるヘッド装着部材と、
前記ヘッド装着部材の前方に配置されるシールド部材と、
前記ヘッド装着部材及び前記シールド部材の少なくとも一方に固定される診察器具固定部材と、を備え、
前記診察器具固定部材は、前記シールド部材の前方に位置する診察器具を脱着可能なアタッチメントを前頭部に沿って所望の位置に移動、位置決め自在な、診察器具併用フェイスシールド。
【請求項２】
前記ヘッド装着部材は、頭額部の周囲に装着する略円周状又は略円弧状の頭周部材と、少なくとも２点で前記頭周部材に連結する頭頂部材とで構成され、
前記シールド部材は、両端がそれぞれ前記ヘッド装着部材の両側に枢結され、前記頭周部材の前方で揺動するシールド吊下部材にその上端縁部が固定されて顔面前方を覆う略透明部材であり、
前記診察器具固定部材は、前頭部に沿って延びて前記頭周部材の前方中央と前記頭頂部材の中央とに連結することできる、請求項１に記載の診察器具併用フェイスシールド。
【請求項３】
前記シールド部材は、前記ヘッド装着部材の前方にその上端縁部が固定されて顔面前方を覆う略透明体であり、
前記診察器具固定部材は、前頭部に沿って延びて前記ヘッド装着部材の前方中央に連結する請求項１に記載の診察器具併用フェイスシールド。
【請求項４】
前記ヘッド装着部材と、前記シールド吊下部材と、前記診察器具固定部材と、は可撓性を有する帯状部材で構成され、
前記頭周部材はその両端を後方で重ねて固定することで頭部の全周にわたって被せる略円周を形成し、
前記頭頂部材は２つの帯状部材それぞれの一端を重ね合わせて固定する頭頂連結部材を有し、それぞれの他端を前記頭周部材の側部に重ね合わせて固定することで頭頂部材の横方向にわたって被せる頭頂部材に沿った略半円弧を形成し、
前記シールド吊下部材は、その両端を前記頭周部材及び／又は前記頭頂部材に重ね合わせて枢結する前記頭周部材より大径となる前方に凸の略半円弧を形成し、
前記診察器具固定部材は、その一端が前記頭頂連結部材に連結され、他端が前記頭周部材の前方中央に連結され、前記診察器具固定部材のレール構造は、その長手方向にわたって延びるスリット又は溝部とその両縁部とで形成され、
前記診察器具のアタッチメントは、スライダとなって前記スリット又は溝部に沿って移動し、スリット又は溝部の所望位置で位置決めしてロック／ロック解除機構を有する、請求項２に記載の診察器具併用フェイスシールド。
【請求項５】
前記アタッチメントは、
前記診察器具固定部材のスリットの両縁部を厚み方向に前後から挟んでそれぞれ厚み方向に貫通するネジ穴を有する前方部材と後方部材と、
前記前方部材の前面にヘッドを有して後方にネジ部が延びており、該ネジ部が前記スリットを通過させて前記前方部材及び後方部材を覗く貫通孔を通して締結される調節ネジと、を備え、
前記調節ネジのヘッドを回転させて前記前方部材及び前記後方部材によるスリットの両縁部の挟む力を調節することで、アタッチメントのスリットに沿った移動・ロック／ロック解除を行う、請求項４に記載の診察器具併用フェイスシールド。
【請求項６】
前記診察器具固定部材のスリットの両縁部のそれぞれの内壁には、互いに内側に対向する凹凸部を有し、
前記アタッチメントは、
前記診察器具固定部材のスリットの両縁部を厚み方向に前後から挟んで前記スリットに沿って移動するスライダ部材と、該スライダ部材と前記診察器具固定部材とのロック／ロック解除を行う操作部材と、を備え、
該操作部材は、
前記スライダ部材内から退出して幅方向両外側に拡がると前記スリットの凹凸部と嵌合し、スライダ部材内から侵入して幅方向内側に狭まると前記スリットの凹凸部との嵌合が解除される嵌合部材と、該操作部材を幅方向外側に拡げる弾性力を付与する弾性部とを有し、前記スライダ部材から両外側に突出しており、両外側から内側に狭める操作をすることで前記操作部材の嵌合部材と前記スリットの凹凸部との嵌合を解除し、両外側から内側に狭める操作を解放すると前記弾性部による弾性力で前記操作部材の嵌合部材と前記スリットの凹凸部とを嵌合する、請求項４に記載の診察器具併用フェイスシールド。
【請求項７】
前記アタッチメントは、
前記診察器具固定部材のスリット内をその両縁部に沿って長手方向に移動する移動部材と、
該移動部材と連結し、前記スリットの両縁部を外側から挟んで把持する又は解放する把持部材と、を備え、
前記把持部材は、
第一部材及び第二部材とがそれぞれの中間部で移動部材に枢結されて略Ｘ字形状を形成し、第一部材及び第二部材それぞれの前方端部を互いに拡がる方向に弾性力を付与する弾性部材が配設され、
該弾性部材の弾性力により第一部材及び第二部材それぞれの前方端部を互いに拡がる方向に移動部材の軸周りを回転すると該第一部材及び第二部材それぞれの後方端部を内側に閉じて、前記スリットの両縁部を外側から挟んで前記診察器具固定部材を把持し、前記弾性部材の弾性力に逆らって第一部材及び第二部材それぞれの前方端部を互いに閉じる方向に移動部材の軸周りを回転操作すると該第一部材及び第二部材それぞれの後方端部を内側に閉じて、前記スリットの両縁部の外側から前記診察器具固定部材を挟んだ状態を解除する、請求項４に記載の診察器具併用フェイスシールド。
【請求項８】
前記アタッチメントは、
前記診察器具固定部材のスリットの両縁部に沿って長手方向に移動し、前方外側から内部に侵入及び退出するノック棒と、
該ノック棒の先端に配設されてノック棒が侵入又は退出するとこれに連動して回転しながら侵入又は退出する回転子と、
前記診察器具固定部材の両縁部を挟んで押圧することでアタッチメントを前記診察器具固定部材に位置決めする挟持部材と、
前記回転子が回転しながら侵入すると前記挟持部材に弾性力により押圧し、退出すると復元力で回転子とノック棒とを退出させるバネ部材と、を有する、請求項４に記載の診察器具併用フェイスシールド。
【請求項９】
頭部の周囲に装着されるヘッド装着部材と該ヘッド装着部材の前方に配置されるシールド部材とを有するフェイスシールドに診察器具を取付けるための診察器具固定部材であって、
前記ヘッド装着部材及び前記シールド部材の少なくとも一方に固定され、前記シールド部材の前方に位置する診察器具を脱着可能なアタッチメントを前頭部に沿って所望の位置に移動、位置決め自在なレール構造を有する診察器具固定部材。
【請求項１０】
請求項１〜８のいずれか１項に記載の診察器具固定部材に備えられる、前記アタッチメント及び前記診察器具固定部材。
【手続補正２】
【補正対象書類名】明細書
【補正対象項目名】００１２
【補正方法】変更
【補正の内容】
【００１２】
また、前記ヘッド装着部材と、前記シールド吊下部材と、前記診察器具固定部材と、は可撓性を有する帯状部材で構成され、
前記頭周部材はその両端を後方で重ねて固定することで頭部の全周にわたって被せる略円周を形成し、
前記頭頂部材は２つの帯状部材それぞれの一端を重ね合わせて固定する頭頂連結部材を有し、それぞれの他端を前記頭周部材の側部に重ね合わせて固定することで頭頂部材の横方向にわたって被せる頭頂部材に沿った略半円弧を形成し、
前記シールド吊下部材は、その両端を前記頭周部材又は前記頭頂部材に重ね合わせて枢結する前記頭周部材より大径となる前方に凸の略半円弧を形成し、
前記診察器具固定部材は、その一端が前記頭頂連結部材に連結され、他端が前記頭周部材の前方中央に連結され、前記診察器具固定部材は、その長手方向にわたって延びるスリット又は溝部が形成され、
前記診察器具のアタッチメントは、スライダとなって前記スリットに沿って移動し、スリット又は溝部の所望位置で位置決めするロック／ロック解除機構を有する。
【手続補正３】
【補正対象書類名】明細書
【補正対象項目名】００２７
【補正方法】変更
【補正の内容】
【００２７】
ヘッド装着部材１２は、医療従事者など使用者の額周り（頭周囲）に巻き付けて装着する略円周状又は略円弧状の頭周部材１２ａと、医療従事者など使用者の左又は右の耳の上部の位置から頭頂部材に至って右又は左の耳の上部の位置に到達する頭頂部材１２ｂとを有している。ヘッド装着部材１２の頭周部材１２ａ及び頭頂部材１２ｂは共に樹脂製等の可撓性を有する帯状部材で構成され、頭周部材１２ａは、略円周を形成してその両端を後方（後頭部側）で重ねて固定しており（重ね合わせ部１２ｃ参照）、頭頂部材１２ｂは、２つの帯状部材の端部を頭頂部材で重ねて上方に凸となる略半円弧を形成しており、２つの帯状部材で形成された略半円弧の端部を頭周部材１２ａの耳上位置近傍で重ねて連結している。
【手続補正４】
【補正対象書類名】明細書
【補正対象項目名】００２８
【補正方法】変更
【補正の内容】
【００２８】
実際には、頭頂部材１２ｂの２つの帯状部材の端部を頭頂部材で重ねて連結固定するために頭頂連結部材２２を用いており、具体的には図３に示すようにコの字状の頭頂連結部材２２で前方から重ねた帯状部材の端部を挟み込んで後方の連結部２２ａで厚み方向（上下方向）にネジ締結している。なお、頭頂連結部材２２は後述する診察器具固定部材１８の上端も同時に固定している。
【手続補正５】
【補正対象書類名】明細書
【補正対象項目名】００２９
【補正方法】変更
【補正の内容】
【００２９】
シールド吊下部材１４は、ヘッド装着部材１２の前方で上下に揺動するヘッド装着部材１２の頭周部材１２ａより大径に湾曲する帯状部材であり、その両端をヘッド装着部材１２の頭周部材１２ａの耳上方の位置近傍で重ねて枢結している（枢結点１４ａ参照）。また、シールド吊下部材１４は、透明の樹脂製薄板のシールド部材１６の上縁部と連結し、視認可能に顔面前方全体を覆うことができるようにシールド部材１６を吊り下げている。したがって、ヘッド装着部材１２を頭部に被せたまま診察時にはシールド部材１６を降ろして患者からの飛沫暴露を遮断し、非診察時にはシールド吊下部材１４を頭頂部材１２ｂ近傍まで揺動させることで顔面前のシールド部材１６を上げることができる。
【手続補正６】
【補正対象書類名】明細書
【補正対象項目名】００３０
【補正方法】変更
【補正の内容】
【００３０】
また、診察器具固定部材１８は、その両端が頭周部材１２ａの前方中央と頭頂部材１２ｂの中央前頭部とに連結されて前頭部材に沿って延びており、その上端１８ｃを頭頂部材１２ｂの端部を挟んで連結固定する頭頂部連結部２２の前方先端に設けられた引掛部２２ｂに引っ掛けて連結し（図４参照）、その下端１８ｄとブラケット２６とで頭周部材１２ｂの前方中央を前後（表裏）から挟んでネジ等で固着することで頭周部材１２ａに連結している。
【手続補正７】
【補正対象書類名】明細書
【補正対象項目名】００５７
【補正方法】変更
【補正の内容】
【００５７】
１０，１１０，２１０，３１０  診察器具併用フェイスシールド
１２  ヘッド装着部材
１２ａ  頭周部材
１２ｂ  頭頂部材
１２ｃ  重ね合わせ部
１４  シールド吊下部材
１４ａ  枢結点
１６  シールド部材
１８，１１８，２１８，３１８  診察器具固定部材
１８ａ，１１８ａ，２１８ａ，３１８ａ  スリット
１８ｂ，１１８ｂ，２１８ｂ，３１８ｂ  縁部
１８ｃ  上端
１８ｄ  下端
１１８ｅ  凹凸部
１１８ｆ，３１８ｆ  レール
３１８ｈ  凹凸部
２０，１２０，２２０，３２０  アタッチメント
２０ａ  前方部材
２０ｂ  後方部材
２０ｃ  貫通穴
１２０ｄ  スライダ部材
１２０ｅ  操作部材
１２０ｆ  嵌合部材
１２０ｇ  弾性部材（バネ）
３２０ｈ  第一部材（把持部材）
３２０ｊ  第二部材（把持部材）
３２０ｉ  弾性部材（バネ部材）
３２０ｋ  移動部材
３２０ｌ  軸穴
１２０ｍ  凹部
１２０ｎ  つまみ
１２０ｐ  受容空間
１２０ｑ、２２０ｑ  連結部
３２０ｒ  軸芯部材
２２０ｓ  ノック棒
２２０ｔ  回転子
２２０ｕ  バネ部材
２２０ｖ  挟持部材
２２  頭頂連結部材
２２ａ  締結部
２２ｂ  引掛部
２４，２４´  診察器具
２６  ブラケット  
２８  調整ネジ
２８ａ  ヘッド
２８ｂ  脚部
２８ｃ  ナット
２８ｄ  溝部